(57)【要約】  【課題】吸引成分を吸引するタイミングでもって手軽に水素を体内に取り込めるようにする。  【解決手段】吸引具として例えば電子タバコＴの場合、一端部が吸い口部１ａとされた細長のケース１内に、電池２４、電池２４からの通電により発熱されるヒーター３２、ヒーター３２により加熱されたときに水蒸気と共に吸引成分を発生させる吸引成分発生部３１と、が配設される。ケース１内には、さらに、例えば吸い口部１ａ近傍において、水蒸気と反応して水素を発生する水素発生部４０が配設される。吸引具として、医療用の吸引具（例えばネプライザー等）とすることもできる。水素発生部４０は、例えば、筒状のカセット部材４１内にフィルタ４１を保持させて、このフィルタ４１に水素生成物質（例えば金属マグネシウム）を保持させた構成として、使い捨てとすることができる。【選択図】  図２
2018126355.tif 000002
【特許請求の範囲】
【請求項１】
吸引成分発生部と該吸引成分発生部に連なる吸引部とを有し、該吸引成分発生部で発生された吸引成分を該吸引部を介して口または鼻の少なくとも一方から吸引させるようにした吸引具であって、
前記吸引成分発生部が、吸引成分と共に水蒸気を発生するように設定され、
前記吸引成分発生部から前記吸引部に至るまでの経路中に、水蒸気と反応して水素を発生する水素発生部が設けられている、
ことを特徴とする吸引具。
【請求項２】
請求項１において、
電子タバコとされている、ことを特徴とする吸引具。
【請求項３】
請求項２において、
一端部が吸い口部とされた細長のケース内に、電池と、該電池からの通電により発熱されるヒータと、該ヒーターにより加熱されたときに水蒸気と共に吸引成分を発生させる前記吸引成分発生部と、が配設され、
前記ケース内には、さらに、前記吸引成分発生部から前記吸い口部までの間において、前記水素発生部が配設されている、
ことを特徴とする吸引具。
【請求項４】
請求項２または請求項３において、
前記ケースは、前記吸い口部を構成する吸い口側ケース部を本体ケース部に対して着脱自在に取付けることにより構成され、
前記水素発生部は、前記吸い口側ケース部に対して着脱自在に取付けられている、
ことを特徴とする吸引具。
【請求項５】
請求項４において、
前記水素発生部は、前記吸い口側ケース部のうち前記吸い口部とは反対側の端部に対して着脱自在に取付けられている、ことを特徴とする吸引具。
【請求項６】
請求項２または請求項３において、
前記ケースは、前記吸い口部を構成する吸い口側ケース部を本体ケース部に対して着脱自在に取付けることにより構成され、
前記水素発生部は、前記本体ケース部のうち前記吸い口側ケース部側の端部に対して着脱自在に取付けられている、
ことを特徴とする吸引具。
【請求項７】
請求項１において、
前記水素発生部を有しない電子タバコと、
前記電子タバコの吸い口部に対して後付けされる後付け部材と、
を有し、
前記後付け部材が、前記電子タバコの吸い口部に対して連通される連通路を有して、その一端部が後付け吸い口部とされると共に、その他端部が該電子タバコの吸い口部に対して後付けで接続される取付部とされ、
前記後付け部材内に、前記水素発生部が配設されている、
ことを特徴とする吸引具。
【請求項８】
請求項１において、
前記吸引成分が医薬成分を含んでいる医療用とされている、ことを特徴とする吸引具。
【請求項９】
請求項８において、
ネプライザーとされている、ことを特徴とする吸引具。
【請求項１０】
請求項８または請求項９において、
前記吸引成分発生部と前記吸引部とがチューブによって接続され、
前記水素発生部が、前記チューブに着脱自在に接続されている、
ことを特徴とする吸引具。
【請求項１１】
請求項１ないし請求項１０のいずれか１項において、
前記水素発生部は、前記吸引成分が通過されるフィルタと、該フィルタに保持されて水蒸気と反応して水素を発生する水素生成物質と、有している、ことを特徴とする吸引具。
【請求項１２】
請求項１ないし請求項１１のいずれか１項において、
前記水素発生部の外殻が、筒状のカセット部材により構成され、
前記カセット部材が着脱自在に取付けられている、
ことを特徴とする吸引具。
【請求項１３】
吸引具に用いる使い捨て用の水素発生部品であって、
吸引具に対して着脱自在に装着される筒状のカセット部材を備え、
前記カセット部材内に、水蒸気を反応して水素を発生する水素生成物質が保持されている、
ことを特徴とする吸引具に用いる使い捨て用の水素発生部品。
【請求項１４】
請求項１３において、
前記カセット部材内にフィルタが充填され、
前記水素生成物質が前記フィルタに保持されている、
ことを特徴とする吸引具に用いる使い捨て用の水素発生部品。
【発明の詳細な説明】
【技術分野】
【０００１】
本発明は、水素を体内に取り込めるようにした吸引具およびこれに用いる使い捨て用の水素発生部品に関するものである。
【背景技術】
【０００２】
吸引具の一種として、特許文献１、特許文献２に示すように電子タバコがある。また、ネプライザーのように、医療用の吸引具も広く一般的に使用されている。
【０００３】
一方、近時、水素、特に分子状水素が各種分野において注目されてきており、例えば、酸化防止、洗浄作用、化粧作用、皮膚病などの予防や治癒作用等においての利用が考えられている。また、水素水を飲用することにより、体内の活性酸素を低減させる作用も期待されている。さらに、医薬成分と共に水素を体内に取り込むことにより、医薬成分が患者に与える負担を軽減させようとする研究も行われるようになっている。
【０００４】
分子状水素を含んだ水素水は、特許文献３、特許文献４に記載のように、水に対して金属マグネシウム等の水素反応物質を反応させることによって、電気分解装置等を利用しなくとも簡単に生成することが可能である。すなわち、例えば水と金属マグネシウムとの反応により水酸化マグネシウムと水素ガスに変化する過程において、分子状水素が発生されることになる。そして、特許文献４には、分子状水素水を手軽に利用できるように、マグネシウム粉末が充填された透水性の棒状カートリッジを、水が充填されたペットボトル等の容器内に入れるようにしたものが開示されている。
【先行技術文献】
【特許文献】
【０００５】
【特許文献１】特開２０１６−７３３１６号公報
【特許文献２】特開２０１４−３９５５３号公報
【特許文献３】特開２００３−１０８６５号公報
【特許文献４】特開２００３−２４９５６号公報
【発明の概要】
【発明が解決しようとする課題】
【０００６】
ところで、水素を体内に取り込むために、別途水素水を生成して飲用することはかなり面倒となる。
【０００７】
本発明は以上のような事情を勘案してなされたもので、その第１の目的は、吸引成分を吸うタイミングでもって手軽に水素を体内に取り込めるようにした吸引具を提供することにある。本発明の第２の目的は、上記吸引具に用いる使い捨て用の水素発生部品を提供することにある。
【課題を解決するための手段】
【０００８】
前記第１の目的を達成するため、本発明にあっては次のような解決手法を採択してある。すなわち、請求項１に記載のように、
吸引成分発生部と該吸引成分発生部に連なる吸引部とを有し、該吸引成分発生部で発生された吸引成分を該吸引部を介して口または鼻の少なくとも一方から吸引させるようにした吸引具であって、
前記吸引成分発生部が、吸引成分と共に水蒸気を発生するように設定され、
前記吸引成分発生部から前記吸引部に至るまでの経路中に、水蒸気と反応して水素を発生する水素発生部が設けられている、
ようにしてある。
ようにしてある。上記解決手法によれば、吸引成分発生部から吸引成分と共に発生される水蒸気が水素発生部を通過するときに水素が発生されることになり、吸引成分を吸引するタイミングでもって手軽に水素を体内に取り込むことができる。
【０００９】
上記解決手法を前提とした好ましい態様は、次のとおりである。すなわち、
電子タバコとされている、ようにしてある（請求項２対応）。この場合、電子タバコで香り等を楽しむときに、水素を体内に取り込むことができる。
【００１０】
一端部が吸い口部とされた細長のケース内に、電池と、該電池からの通電により発熱されるヒータと、該ヒーターにより加熱されたときに水蒸気と共に吸引成分を発生させる前記吸引成分発生部と、が配設され、
前記ケース内には、さらに、前記吸引成分発生部から前記吸い口部までの間において、前記水素発生部が配設されている、
ようにしてある（請求項３対応）。この場合、電子タバコのケース内の所定位置に水素発生部を配設するという簡単な構成によって、手軽に水素を体内に取り込むことができる。
【００１１】
前記ケースは、前記吸い口部を構成する吸い口側ケース部を本体ケース部に対して着脱自在に取付けることにより構成され、
前記水素発生部は、前記吸い口側ケース部に対して着脱自在に取付けられている、
ようにしてある（請求項４対応）。この場合、電子タバコにおいて、簡単な構造とされることが一般的な吸い口側ケース部を有効に利用して、水素発生部を組み込むことができる。
【００１２】
前記水素発生部は、前記吸い口側ケース部のうち前記吸い口部とは反対側の端部に対して着脱自在に取付けられている、ようにしてある（請求項５対応）。この場合、電子タバコにおいて、吸い口側ケース部を本体ケース部から取外したときに、外部に露出される吸い口部とは反対側の端部に対して水素発生部を取付けることから、水素発生部の取付けと取外しが極めて容易となる。
【００１３】
前記ケースは、前記吸い口部を構成する吸い口側ケース部を本体ケース部に対して着脱自在に取付けることにより構成され、
前記水素発生部は、前記本体ケース部のうち前記吸い口側ケース部側の端部に対して着脱自在に取付けられている、
ようにしてある（請求項６対応）。この場合、電子タバコにおいて、吸い口側ケース部を本体ケース部から取外したときに、外部に露出される本体ケース部の端部に対して水素発生部を取付けることから、水素発生部の取付けと取外しが極めて容易となる。
【００１４】
前記水素発生部を有しない電子タバコと、
前記電子タバコの吸い口部に対して後付けされる後付け部材と、
を有し、
前記後付け部材が、前記電子タバコの吸い口部に対して連通される連通路を有して、その一端部が後付け吸い口部とされると共に、その他端部が該電子タバコの吸い口部に対して後付けで接続される取付部とされ、
前記後付け部材内に、前記水素発生部が配設されている、
ようにしてある（請求項７対応）。この場合、水素発生部を有しない既存の電子タバコに対して後付け部材を取付けることにより、電子タバコを吸引するタイミングでもっても水素を体内に取り込むことができる。
【００１５】
前記吸引成分が医薬成分を含んでいる医療用とされている、ようにしてある（請求項８対応）。この場合、医薬成分を吸引するタイミングでもって手軽に水素を体内に取り込むことができる。また、医薬成分と共に水素を体内に取り込むことにより、医薬成分が体に与える負担を軽減あるいは抑制させる効果を期待することもできる。
【００１６】
ネプライザーとされている、ようにしてある（請求項９対応）。この場合、広く一般的に使用されている医療用吸引具としてのネプライザーを使用するタイミングでもって、手軽に水素を体内に取り込むことができる。
【００１７】
前記吸引成分発生部と前記吸引部とがチューブによって接続され、
前記水素発生部が、前記チューブに着脱自在に接続されている、
ようにしてある（請求項１０対応）。この場合、チューブの存在により、吸引成分発生部と吸引部との位置関係の設定について自由度を高めることができる。また、既存の吸引成分発生部と吸引部とを変更することなく、水素発生部を容易に組み込むことができる。さらに、水素発生部とチューブとの着脱も容易であり、水素発生部を交換するにも好都合である。
【００１８】
前記水素発生部は、前記吸引成分が通過されるフィルタと、該フィルタに保持されて水蒸気と反応して水素を発生する水素生成物質と、有している、ようにしてある（請求項１１対応）。この場合、水素発生部の具体的な構造が提供される。また、水素生成物質をフィルタに保持させることにより、水素生成物質を安定した形態でもって吸引具に配設することができる。
【００１９】
前記水素発生部の外殻が、筒状のカセット部材により構成され、
前記カセット部材が着脱自在に取付けられている、
ようにしてある（請求項１２対応）。この場合、カセット部材を利用して、水素発生部の吸引具に対する取付け、取外しが容易となり、特に水素発生部を使い捨てとする場合に好適となる。
【００２０】
前記第２の目的を達成するため、本発明にあっては次のような解決手法を採択してある。すなわち、請求項１３に記載のように、
吸引具に用いる使い捨て用の水素発生部品であって、
吸引具に対して着脱自在に装着される筒状のカセット部材を備え、
前記カセット部材内に、水蒸気を反応して水素を発生する水素生成物質が保持されている、
ようにしてある。上記解決手法によれば、水素生成物質をカセット部材内に保持させることにより、吸引具への取付け、取外しが容易となり、使い捨て用として極めて好適である。
【００２１】
上記解決手法を前提とした好ましい態様は、請求項１４に記載のとおりである。
【００２２】
前記カセット部材内にフィルタが充填され、
前記水素生成物質が前記フィルタに保持されている、
ようにしてある（請求項１４対応）。この場合、水素生成物質をフィルタに保持させることにより、水素生成物質を安定した形態でもってカセット部材内に保持させておくことができる。
【発明の効果】
【００２３】
本発明によれば、吸引成分を吸引するタイミングでもって、気軽に水素を体内に取り込むことができる。
【図面の簡単な説明】
【００２４】
【図１】本発明が適用された電子タバコの一例を示す側面図。
【図２】図１に示す電子タバコの側面断面図。
【図３】図２の分解図。
【図４】水素発生部の拡大断面図。
【図５】本体ケース部と吸い口側ケース部との結合部位を示す要部拡大断面図。
【図６】電子タバコを収納する収納ケースの一例を示す側面図。
【図７】図６の左側面図。
【図８】図６の収納ケースの蓋部材を、収納ケース本体部から取外して、収納ケース本体部の底部に装着した状態を示す側面図。
【図９】収納ケース内の電子タバコに充電している状況を示す図。
【図１０】既存の電子タバコと後付け部材とを示す分解断面図。
【図１１】図１０に示す電子タバコと後付け部材との取付け状態を示す断面図。
【図１２】医療用吸引具としてのネプライザーに本発明を適用した例を示す図。
【発明を実施するための形態】
【００２５】
以下本発明の実施形態について説明するが、まず、吸引具としての電子タバコに本発明を適用した例について図１〜図９を参照しつつ説明する。
【００２６】
図１〜図３において、電子タバコＴは、細長いケース１を有する。このケース１は、通常のタバコと同程度の太さおよび長さとされて、その一端部が吸い口部１ａとされている。なお、説明の都合上、吸い口部１ａ側を上方（上部）とし、吸い口部１ａとは反対側を下方（下部）として説明する。
【００２７】
図２、図３に示すように、ケース１は、大別して、第１ケース部１１と第２ケース部１２と第３ケース部１３とを互いに着脱自在に結合することにより構成されている。第１ケース部１１と第２ケース部１２とによって、本体ケース部１０が構成される。第３ケース部１３は、吸い口部１ａを有する吸い口側ケース部とされる。第３ケース部１３には、吸引成分が通る吸引路１３ａが、その全長に渡って形成されている。
【００２８】
第１ケース部１１は筒状とされて、その底部が、後述する施蓋部材２１により着脱自在に施蓋されている（例えばねじ結合）。この第１ケース部１１内には、吸い口部１ａから吸引されたときに生じる気流（空気）の流れを感知する吸引感知センサ２２と、制御部２３と、充電式の電池２４とが収納されている。
【００２９】
第２ケース部１２内には、吸引成分を吸着する吸着フィルタ３１と、吸着フィルタ３１を加熱するためのヒーター（ヒータ素子）３２とが配設されている。
【００３０】
第１ケース部１１と第２ケース部１２とは、連結具２５、３５を介して互いに着脱自在に連結される。具体的には、第１ケース部１１の上端部に対して、連結部２５が例えば圧入や接着等により固定されている。この連結具２５は、導電性を有するように金属によって形成されて、雌ねじ部２５ａと、筒状の接続部２５ｂとを有する。
【００３１】
一方、第２ケース部１２の底部に対して、連結具３５が例えば圧入や接着等によって固定されている。この連結具３５は、ヒーター３２を保持すると共に、連結具２５の雌ねじ部２５ａに螺合される雄ねじ部３５ａを有する。
【００３２】
連結具３５は、第２ケース部１２内に細長く伸びる筒状の伝熱部３５ｂを有する。伝熱部３５ｂの周囲を吸着フィルタ３１が取り巻いていて、ヒーター３２による吸着フィルタ３１の加熱が効果的に行われる。また、連結具３５に保持されたヒーター３２は、その下端部が連結具３５から下方へと延設されている。
【００３３】
連結具３５の雄ねじ部３５ａを、連結具２５の雌ねじ部２５ａに螺合することにより、第１ケース部１１と第２ケース部１２とが連結される。この連結時において、ヒーター３２の下端部が、連結具３５の接続部３５ｂに嵌合される（電気的な接続関係の構築）。
【００３４】
配線の詳細は省略するが、電池２４は、接続部２５ｂに対して接続されていて、この電池２４と接続部２５ｂとは、スイッチ機能を有する制御部２３の制御によって通電と通電遮断とが切換えられる。より具体的には、後述するように、吸引感知センサ２２によって、吸い口部１ａからの吸引作用が生じていることが感知されると、制御部２３は、電池２４から接続部２５ｂへの通電を行って、接続部２５ｂを介してヒーター３２を発熱させる。吸引感知センサ２２が吸引を感知していないときは、制御部２３は、電池２４と接続部２５ｂとの通電を遮断する。
【００３５】
第２ケース部１２内の吸着フィルタ３１は、吸引成分を吸着しておくもので、液体状の吸引成分が第２ケース部１２の上部から適宜供給（補充）される。
【００３６】
第３ケース部１３の下端側には、水素発生部４０が着脱自在に取付けられる。水素発生部４０は、図４に示すように、その外殻が筒状のカセット部材４１によって構成されている。このカセット部材４１内には、フィルタ４２が保持され、このフィルタ４２に水素生成物質が保持されている（例えば練り込み）。
【００３７】
上記フィルタ４２は、例えば合成樹脂繊維によって構成されて、水蒸気やガス状の吸引成分を通過可能となっている。より具体的には、フィルタ４２として、特開平８−３２５９１８号公報に記載のような発泡解繊体を用いることができる。
【００３８】
フィルタ４２に保持される水素生成物質は、水や水蒸気を反応して水素を発生するものであれば適宜のものを使用することができ、例えば金属マグネシウム、ニッケル触媒、金属カルシウム、チタン、酸化チタン、シリコン、イオン交換樹脂等を使用することができる（実施形態では微粉末状の金属マグネシウムを用いてある）。また、水素生成物質としては、あらかじめ水素を吸蔵した水素吸蔵体であってもよい（例えばＭｇＨ2等の水素吸蔵合金等）。
【００３９】
フィルタ４２に対する水素生成物質（例えばＭｇＨ2）の含有割合は、例えば０．０３重量％〜０．１０重量％程度とすることができ、好ましくは０．０４重量％〜０．０６重量％程度とすることができる。なお、フィルタ４２に水素生成物質を保持させる場合、水素生成物質（例えばＭｇＨ2）２５重量％含むマスターバッチを、１重量％の割合でフィルタ４２に練り込むことにより行うことができる。なお、フィルタ４２の重量としては、水素生成物質を含有しない状態で、０．７ｇ〜２．０ｇ程度とすることができ、好ましくは０．９ｇ〜１．５ｇ程度とすることができる。なお、水素生成物質を含まない状態でのフィルタ４２の重量や、水素生成物質の含有割合は、使用期間（電子タバコの吸引回数）を考慮して、適宜選択できる。
【００４０】
上述のような水素発生部４０は、第３ケース部１３に対して着脱自在に取付けられる。このため、第３ケース部１３のうち、吸い口部１ａとは反対側の端部において、吸引路１３ａよりも大径とされた嵌合部１３ｂが形成されている。水素発生部４０におけるカセット部材４１が、上記嵌合部１３ｂに対してがたつきなく嵌合される。
【００４１】
水素発生部４０を嵌合部１３ｂに嵌合させた状態では、水素発生部４０の下部が第３ケース部１３から露出される。水素発生部４０のうち第３ケース部１３から露出されている部分を手指で把持することができる（水素発生部４０の第３ケース部１３に対する取付け、取外しを容易に行うことができる）。
【００４２】
ここで、前述した第１ケース部１１の底部に設けた施蓋部材２１は、第１ケース部１１の底部を施蓋する他に、次のような機能をも有している。すなわち、施蓋部材２１は、電池２４に対する充電時の給電機能（実施形態では非接触式給電を行うために、電磁誘導におけるコイル機能）を有している。また、施蓋部材２１は、吸引感知センサ２２が作動したとき（吸引による気流の流れを感知したとき）に点灯されるパイロットランプが付設されている。なお、電池２４に対する充電、パイロットランプの点消灯および接続部２５ｂに対する通電と通電遮断とは、制御部２３によって制御される。
【００４３】
以上のような構成において、通常は、第１ケース部１１と第２ケース部１２とは常時一体化された状態とされる。第２ケース部１２から第３ケース部１３を取外した状態で、第２ケース部１２内の吸着フィルタ３１に対して、液体状の吸引成分が供給される。また、第３ケース部１３に対して、水素発生部４０が取付けられる。この後、第３ケース部１３が、第２ケース部１２に固定されて、図１、図２に示す状態とされる。上記吸引成分は、加熱された際に、気化されると共に水蒸気をも発生するものとなっている。
【００４４】
吸い口部１ａから吸引を行うと、吸引によるケース１内の気流（空気）の流れが吸引感知センサ２２により感知される。これにより、施蓋部材２１に設けたパイロットランプが点灯される。また同時に、電池２４から連結具２５の接続部２５ｂに対して通電されて、ヒーター３２が発熱される。
【００４５】
ヒーター３２の発熱により、吸着フィルタ３１に吸着されている吸引成分が気化されると共に水蒸気が発生される。水蒸気と気化された吸引成分とは、水素発生部４０を経由して、第３ケース部１３の吸い口部１ａ側へ向けて移動される。水蒸気が水素発生部４０を通過する際に、水素発生部４０における水素生成物質と反応して、水素が発生される。水素発生部４０で発生された水素は、気化された吸引成分と共に、吸い口部１ａから吸引される（水素が吸引者の体内へ取り込まれる）。
【００４６】
ここで、水素発生部４０における水素発生能力は、最大で１０００ppmの高濃度水素が吸引可能な程度とされて、約１００回の吸引が可能（一般のタバコ５本を吸引する程度）とされている。所定回数以上吸引が行われて、水素発生部４０での水素発生能力が低下したときは、水素発生部４０が交換される。交換は、第３ケース部１３を第２ケース部１２から取外して簡単に行うことができる。
【００４７】
吸い口側ケース部となる第３ケース部１３は、通常は、もっぱら吸い口形状を構成するのみで、内部構造は極めて単純である。よって、この第３ケース部１３に水素発生部４０を着脱自在に保持させる機能を持たせることは極めて容易となる。また、ケース１全体として、スペースの有効活用を行う上でも好ましいものとなる。
【００４８】
図６〜図９は、前述した電子タバコＴを収納する収納ケース等の例を示すものである。収納ケース-５０は、基本的に２本の電子タバコＴを収納するものとなっている。収納ケース５０は、本体ケース部５１と、蓋部材５２とからなる。蓋部材５２を取外した状態が図９に示され、この蓋部材５２は、本体ケース部５１の底部に嵌合させておくことができる。
【００４９】
電子タバコＴの充電は、図９に示すように、収納ケース５０内に収納された状態で行われる。すなわち、商用電源に接続される充電器６０から伸びる給電コード６０ａが、本体ケース部５１の底部に着脱自在に接続されて、電子タバコＴの充電が行われる。電子タバコＴを収納した収納ケース５０は、図６、図７の状態で、ポケットに入れたり、紐を利用して首に吊す等によって、携帯される。
【００５０】
なお、収納ケース５０内に充電式バッテリを搭載して、このバッテリから電子タバコＴに対する充電を行うこともできる。また、収納ケース５０を別途用いることなく、電子タバコＴに対して直接的に充電を行うようにすることもできる。
【００５１】
図１０、図１１は、本発明の別の実施形態を示すものであり、前記実施形態と同一構成要素には同一符号を付してその重複した説明は省略する。本実施形態では、既存の電子タバコに対して後付け部材を取付けて、水素を吸引できるようにしたものである。
【００５２】
図１０、図１１に示す、電子タバコＴＢは、既存の電子タバコＴ１に対して後付け部材４５を取付けたものとなっている。既存の電子タバコＴ１は、図１〜図５に示すものとほぼ同一の構成とされているが、水素発生部４０を有しない点において図１〜図５に示す電子タバコＴとは相違している。そして、水素発生部４０は、後付け部材４５内に配設してある。
【００５３】
後付け部材４５は、上下方向に伸びる連通路４５ａを有し、その一端部が後付け吸い口部４５ｂとされている（前記実施形態における吸い口部１ａの代替となる）。連通路４５ａの他端部は大径の筒状とされた取付け部４５ｃとされている。連通路４５ａの中間部は、中径部４５ｄとされて、この中径部４５ｄに、水素発生部４０が嵌合、保持されている。なお、水素発生部４０は、図４のものと同じものが用いられている。
【００５４】
後付け部材４５は、例えば軟質の合成樹脂により形成されて、取付け部４５ｃが、電子タバコＴ１の吸い口部１ａ外周に対して嵌合されるようになっている。この嵌合は、取付け部４５ｃの弾性変形を利用して容易に行うことができ、また取付け状態では気密な接続とされる。
【００５５】
図１０、図１１に示す実施形態においては、水素発生部を有しない既存の電子タバコＴ１に対して後付け部材４５を取付けるだけで、電子タバコＴ１を楽しむタイミングでもって水素を体内に取り込むことができる。なお、水素発生部４０のみを使い捨て式として後付け部材４５そのものは繰り返し使用するようにしてもよく、また後付け部材４５を水素発生部４０と共に使い捨てとすることもできる。
【００５６】
図１２は、本発明を、医療用の吸引具としてのネプライザーに適用した例を示す。ネプライザー７０は、本体容器部７１と、吸引部７２と、チューブ７３と、を有する。本体容器部７１は、例えばガラスや合成樹脂等によって開閉可能な密閉構造とされて（開閉用の蓋部材は図示略）、内部に液状の医薬成分７４を貯溜することが可能となっている。また、本体容器部７１内には、医薬成分を蒸発させる蒸発器７５が配設されている。蒸発器７５は、ヒータあるいは超音波発生器とされて、本体容器部７１内の医薬成分を気化、霧化させる。このように、本体容器部７１は、吸引成分を発生する吸引成分発生部の機能を有している。
【００５７】
吸引部７２は、実施形態では、患者Ｍの口と鼻を覆うマスク部材によって構成されている。なお、吸引部７２は、口に対してのみに装着されるもの、あるいは鼻に対してのみ装着されるもの（例えば鼻内に挿入されるもの）等、適宜の形態のものを採択できる。そして、本体容器部７１（の上端部）と吸引部７２とが、チューブ７３によって接続されている。
【００５８】
チューブ７３には、水素発生部４０が接続されている。この水素発生部４０は、図４の場合と同様に、筒状のカセット部材４１内にフィルタ４２を保持させて、このフィルタ４２に水素生成物質を保持させたものとなっている。ただし、本実施形態の場合は、筒状のカセット部材４１の各端部に小径の接続部が構成されて、この接続部の外周に対してチューブ７３が着脱自在に嵌合されるようになっている（チューブ７３の弾性を利用した気密かつ着脱自在容易な接続）。
【００５９】
なお、水素発生部４０（のカセット部材４１）とチューブ７３とを、ワンタッチ継手等の継手部材を介して接続することもできる。水素発生部４０を安価に使い捨てとするため、チューブ７３に接続される部分を筒状の外ケースによって構成すると共に、この外ケースを半割や軸線方向の分割構造として、この外ケース内にカセット部材４１を着脱自在可能に収納するようにしてもよい。
【００６０】
蒸発器７５を作動させて、医薬成分７４を気化、霧化させると、水蒸気（霧化された水を含む）が合わせて発生される。気化、霧化された医薬成分および水蒸気は、チューブ７３を介して吸引部７２に供給されて、患者Ｍの口と鼻との少なくとも一方から体内に取り込まれる。水蒸気が水素発生部４０を通過する際に、水素生成物質と反応して水素が発生される。発生された水素は、気化、霧化された医薬成分と共に患者Ｍの体内に取り込まれる。
【００６１】
患者によっては医薬成分が大きな負担となる場合もあるが、医薬成分と合わせて水素を体内に取り込むことによって、患者の負担を軽減することが期待される。例えば、吸引成分として全身麻酔用の医薬成分である場合に、この医薬成分と共に水素を体内に取り込むことが好ましい（ＷＯ２０１３１８０２４０Ａ１特許公報参照）。
【００６２】
なお、水素発生部４０を、直接本体容器部７１に対して接続することもできる。また、水素発生部４０を、直接吸引部７２の接続することもできる。さらに、水素発生部４０を、本体容器部７１内に配設することもでき、吸引部７２内に配設することもできる。
【００６３】
以上実施形態について説明したが、本発明は、実施形態に限定されるものではなく、特許請求の範囲の記載された範囲において適宜の変更が可能である。電池２４は非充電式であってもよい。ヒーター３２に対する加熱は、ケース１に別途設けた手動スイッチを操作した際に行われるようにしてもよい。すなわち、手動スイッチがオンされたときに、電池２４から接続部２５ｂ（つまりヒーター３２）に対して通電されるようにすることもでき、この場合は、吸引感知センサ２２や制御部２３は不要となる。吸引成分をカセット容器に入れておく形式として、吸引成分が無くなった（少なくなったとき）ときは、カセットごと交換するようにしてもよい。
【００６４】
ケース１は、３分割構成とする場合に限らず、２分割構成としたり、４分割以上の構成とすることもできる。吸引成分は、ニコチン成分を含むものであってもよく（真性なタバコに対応）、ニコチン成分を含まないものであってもよい（擬似的なタバコに対応）。すなわち、本発明における電子タバコは、ニコチン成分を吸引する真性な電子タバコの場合と、ニコチン成分を吸引しないで、香り成分、サプリメント（例えばビタミン等）、カフェイン等を吸引する擬似的な電子タバコとの両方を含むものである。例えば、液体サプリメント（例えば酸化されやすいビタミンＣ等のビタミン）を吸引成分発生部３１や水素発生部４０に含ませるようにして、サプリメントと共に水素を吸引することにより、水素により還元された活性サプリメント（例えば活性ビタミン）として体内に取り込むことが可能となる。
【００６５】
水素発生部４０の配設位置は、吸引成分発生部（実施形態では吸着フィルタ３１）で気化あるいは霧化された吸引成分が、口または鼻に向けて移動する途中の経路であれば、適宜の位置に配設することができる。例えば、実施形態において、第２ケース部１２の上端部（吸着フィルタ３１の上方位置）に、水素発生部４０を着脱自在に取付ける等のことができる（水素発生部４０の一部が、第２ケース部１２から露出するようにしておくのが好ましい）。水素発生部４０と吸引成分発生部とを１つのカセット内に構成することもできる（水素発生部４０と吸引成分発止部とが同時交換となる）。この場合は、水素発生部４０での水素発生能力が交換レベルまで低下したのとほぼ同時期に、吸引成分発生部での吸引成分発生能力が交換レベルまで低下するように設定しておくのが好ましい。また、水素発生部４０を構成するカセットと、吸引成分発生部を構成するカセットとを互いに別体として構成して、互いに着脱自在に固定（例えば嵌合や螺合）することにより一体化された状態で、ケース１内に配設するようにしてもよい。
【００６６】
吸引具としては、電子タバコやネプライザーに限らず、香り成分や医薬成分等の吸引成分と共に水蒸気を発生させて、口あるいは鼻から吸引されるものであれば、適宜のものを含むものである（例えば麻酔薬を吸引させる機器、）。また、特に医療用の場合は、人体（人間）に用いる場合に限らず、犬、猫、牛、馬、豚等の動物に用いるものであってもよい。水素発生部４０に、水素生成物質以外に、例えば微粉末状とされたナトリウムやカリウム等のミネラル物質を含ませておくこともでき、また香り成分等を含ませておくこともできる（特に、水蒸気と触れることにより香りを発生するもの）。
【産業上の利用可能性】
【００６７】
本発明によれば、手軽に水素を体内に取り込むことができる。
【符号の説明】
【００６８】
Ｔ１：既存の電子タバコ（水素発生部なし）
ＴＢ：電子タバコ（電子タバコＴ１＋後付け部材）
Ｔ：電子タバコ（水素発生部あり）
１：ケース
１ａ：吸い口部
１０：本体ケース部
１１：第１ケース部（本体ケース部構成用）
１２：第２ケース部（本体ケース部構成用）
１３：第３ケース部（吸い口側ケース部構成用）
１３ａ：吸引路
１３ｂ：嵌合部（水素発生部の取付け用）
２１：施蓋部材
２２：吸引感知センサ
２３：制御部
２４：電池
２５：連結具
２５ａ：ねじ部
２５ｂ：接続部（ヒーター通電用）
３１：吸着フィルタ（吸引成分用）
３２：ヒーター
３５：連結具
３５ａ：ねじ部
３５ｂ：伝熱管
４０：水素発生部
４１：カセット部材
４２：フィルタ
４５：後付け部材
４５ａ：連通路
４５ｂ：後付け吸い口部
４５ｃ：取付け部
４５ｄ：中径部（水素発生部保持用）
５０：収納ケース
６０：充電器
７０：ネプライザー
７１：本体容器部
７２：吸引部
７３：チューブ
７４：医薬成分
【図１】
2018126355.tif 000003
【図２】
2018126355.tif 000004
【図３】
2018126355.tif 000005
【図４】
2018126355.tif 000006
【図５】
2018126355.tif 000007
【図６】
2018126355.tif 000008
【図７】
2018126355.tif 000009
【図８】
2018126355.tif 000010
【図９】
2018126355.tif 000011
【図１０】
2018126355.tif 000012
【図１１】
2018126355.tif 000013
【図１２】
2018126355.tif 000014